(57)【要約】【課題】２芯型のプラグを装着する型式の光コネクタにおいては、プラグ装着穴の構造・サイズ・形状が１通りに設定されていて、１種類のプラグしか装着することができなかったので、光コネクタの汎用性が低く、異種のプラグを接続するような場合の光学部品の数が多くなる等の問題がある。【解決手段】光コネクタ１のアダプタ型のコネクタ本体２は、１対の本体分割体３，４を対称に結合して構成され、各本体分割体３，４には型式の異なる２芯型のＭＵ型プラグ，ＬＣ型プラグを択一的に装着可能なプラグ装着穴５が形成され、この本体分割体３，４の内部には、１対のフェルール挿入部６が形成され、これらフェルール挿入部６の軸心間ピッチは、既存のＬＣ型プラグの光ファイバ間ピッチと等しく形成され、ＭＵ型プラグは左右幅を狭く形成してその光ファイバ間ピッチがＬＣ型プラグの光ファイバ間ピッチと等しく形成されている。【選択図】  図３
2004354693.tif 000002
【特許請求の範囲】
【請求項１】
２本の光ファイバの端部を保持する２芯型プラグを装着する為のアダプタ型又はレセプタクル型のコネクタ本体を備えた光コネクタにおいて、前記コネクタ本体は、
同種の光ファイバに適用される相互に型式の異なる２芯型の第１，第２プラグを択一的に装着可能に構成された特定プラグ装着穴と、
前記特定プラグ装着穴に装着された第１プラグ又は第２プラグの１対のフェルール先端部が装着される両プラグに共通の１対のフェルール挿入部と、
前記特定プラグ装着穴に装着される第１プラグに係合する複数の第１係合部と、前記特定プラグ装着穴に装着される第２プラグに係合する複数の第２係合部と、を備えたことを特徴とする光コネクタ。
【請求項２】
前記コネクタ本体が、前記特定プラグ装着穴を対向状に１対形成してなるアダプタ型のコネクタ本体であることを特徴とする請求項１に記載の光コネクタ。
【請求項３】
前記コネクタ本体が、１つの前記特定プラグ装着穴を有するレセプタクル型のコネクタ本体であることを特徴とする請求項１に記載の光コネクタ。
【請求項４】
前記第２プラグが２芯型のＬＣ型プラグであり、前記第１プラグが第２プラグの光ファイバ間ピッチと同じ光ファイバ間ピッチを有する２芯型のＭＵ型プラグであることを特徴とする請求項１〜３の何れかに記載の光コネクタ。
【請求項５】
前記ＭＵ型プラグの左右の両側部に、１対の第１係合部に係合する１対の係合凹部を形成し、第１係合部は係合凹部に係合解除可能に係合する係合爪からなることを特徴とする請求項４に記載の光コネクタ。
【請求項６】
前記ＬＣ型プラグの１対のレバー部に、２対の第２係合部に係合する２対の係合突起を形成し、第２係合部は係合突起が係合する係合段部であってＬＣ型プラグの上壁部に形成された係合段部からなることを特徴とする請求項４に記載の光コネクタ。
【発明の詳細な説明】
【０００１】
【発明の属する技術分野】本発明は光コネクタに関し、特に型式の異なる２種類のプラグを択一的に接続可能にした光コネクタに関する。
【０００２】
【従来の技術】従来、光通信回路部品としての光コネクタとしては、１対のプラグを接続するアダプタ型光コネクタと、光デバイスに１つのプラグを接続するレセプタクル型光コネクタとがある。アダプタ型光コネクタでは、１対のプラグ装着穴に１対のプラグを装着し、フェルールの端面同士を当接させることで光ファイバを光学的に接続する。レセプタクル型光コネクタでは、１つのプラグ装着穴にプラグを装着し、フェルールの端面を光デバイス側のフェルールの端面に当接させることで光ファイバを光学的に接続する。
【０００３】
ここで、１本の光ファイバを接続する１芯型の光コネクタの他に、双方向光通信等に広く適用されてているように、２本の光ファイバを対にして接続する２芯型の光コネクタも広く実用に供されている。特許文献１，２には、一般的な２芯のレセプタクル型光コネクタが記載されている。
１芯型の光コネクタと同様に、２芯型の光コネクタにおいても、同種の光ファイバに適用されるＭＵ型、ＬＣ型、ＳＣ型など複数種類の光コネクタが実用に供されている。これらの型式が異なる２芯型光コネクタでは、２本の光ファイバの端部を保持するプラグの構造、サイズ、形状、光ファイバ間ピッチ等が異なるため、夫々専用のプラグとコネクタ本体とが採用されている。
【０００４】
例えば、ＭＵ型光コネクタでは光ファイバ間ピッチが４．５ｍｍ又は７．５ｍｍであり、ＬＣ型光コネクタでは光ファイバ間ピッチが６．２５ｍｍであるため、ＭＵ型プラグをＬＣ型光コネクタのプラグ装着穴に装着できず、ＬＣ型プラグをＭＵ型光コネクタのプラグ装着穴に装着することはできなかった。
そこで、例えば、ＭＵ型プラグとＬＣ型プラグとを光学的に接続するためには、ＭＵ型光コネクタと、両端にＭＵ型プラグとＬＣ型プラグを備えたジャンパーと、ＬＣ型光コネクタとを用いて、ＭＵ型プラグをＭＵ型光コネクタに接続し、このＭＵ型光コネクタにジャンパーの一端のＭＵ型プラグを接続すると共にジャンパーの他端のＬＣ型プラグをＬＣ型光コネクタに接続し、このＬＣ型光コネクタに相手側のＬＣ型プラグを接続しなければならなかった。
【０００５】
【特許文献１】特開平５−２１５９４３号公報（図１〜図４）
【特許文献２】特開２０００−３１５９２１号公報（図１，図２）
【０００６】
【発明が解決しようとする課題】前記のように、従来の光コネクタでは、光コネクタの型式別に、コネクタ本体のプラグ装着穴の構造・サイズ・形状、プラグの構造・サイズ・形状が１とおりに設定されており、プラグ装着穴に１種類のプラグしか装着することができず、光コネクタの汎用性が低かったため、異種のプラグを接続するような場合に必要な光学部品（光コネクタ、プラグ、ジャンパー等）の数が多くなり、設備経済的に不利であり、接続に多くの労力を要し、光学的な接続個所が多くなる分だけ光学的な接続損失も多くなる等の問題があった。
【０００７】
本発明の目的は、コネクタ本体のプラグ装着穴に２種類のプラグを択一的に装着可能にして汎用性と経済性を高めたアダプタ型又はレセプタクル型の光コネクタを提供することである。
【０００８】
【課題を解決するための手段】請求項１の光コネクタは、２本の光ファイバの端部を保持する２芯型プラグを装着する為のアダプタ型又はレセプタクル型のコネクタ本体を備えた光コネクタにおいて、前記コネクタ本体は、同種の光ファイバに適用される相互に型式の異なる２芯型の第１，第２プラグの両方を択一的に装着可能に構成された特定プラグ装着穴と、前記特定プラグ装着穴に装着された第１プラグ又は第２プラグの１対のフェルール先端部が装着される両プラグに共通の１対のフェルール装着部と、前記特定プラグ装着穴に装着される第１プラグに係合する複数の第１係合部と、前記特定プラグ装着穴に装着される第２プラグに係合する複数の第２係合部とを備えたことを特徴とするものである。
【０００９】
この光コネクタにおいて、コネクタ本体に第１プラグを装着する際に、第１プラグをコネクタ本体の特定プラグ装着穴に装着すると、コネクタ本体の複数の第１係合部が第１プラグに係合し、第１プラグの１対のフェルールの先端部が１対のフェルール挿入部に挿入される。コネクタ本体に第２プラグを装着する際には、第２プラグをコネクタ本体の特定プラグ装着穴に装着すると、コネクタ本体の複数の第２係合部が第２プラグに係合し、第２プラグの１対のフェルールの先端部が１対のフェルール挿入部に挿入される。
【００１０】
尚、前記コネクタ本体がアダプタ型のコネクタ本体である場合には、２芯型のプラグと２芯型のプラグとを接続可能であり、コネクタ本体がレセプタクル型のコネクタ本体である場合には、１つの２芯型のプラグを光学デバイスに接続可能である。
【００１１】
請求項２の光コネクタは、請求項１の発明において、前記コネクタ本体が、前記特定プラグ装着穴を対向状に１対形成してなるアダプタ型のコネクタ本体であることを特徴とするものである。この場合、両方の特定プラグ装着穴に、夫々、２芯型の第１プラグと第２プラグを択一的に装着可能である。そのため、第１プラグ同士の接続、第１プラグと第２プラグの接続、第２プラグ同士の接続の３とおりの接続が可能となる。
【００１２】
請求項３の光コネクタは、請求項１の発明において、前記コネクタ本体が、１つの前記特定プラグ装着穴を有するレセプタクル型のコネクタ本体であることを特徴とするものである。この場合、特定プラグ装着穴に第１プラグを装着したり、第２プラグを装着したりすることができる。
【００１３】
請求項４の光コネクタは、請求項１〜３の何れかの発明において、前記第２プラグが２芯のＬＣ型プラグであり、前記第１プラグが第２プラグの光ファイバ間ピッチと同じ光ファイバ間ピッチを有する２芯のＭＵ型プラグであることを特徴とするものである。第１プラグの光ファイバ間ピッチと、第２プラグの光ファイバ間ピッチとが等しく形成されているので、第１，第２プラグの１対のフェルールの先端部が共通の１対のフェルール挿入部に挿入可能である。
【００１４】
請求項５の光コネクタは、請求項４の発明において、前記ＭＵ型プラグの左右の両側部に、１対の第１係合部に係合する１対の係合凹部を形成し、第１係合部は係合凹部に係合解除可能に係合する係合爪からなることを特徴とするものである。ＭＵ型プラグの左右の両側部に１対の係合凹部を形成するため、ＭＵ型プラグの左右幅の中央部には係合凹部を形成する必要がないから、ＭＵ型プラグの左右幅を小さくすることができる。また、ＭＵ型プラグをプラグ装着穴から離脱させる際には、ＭＵ型プラグを離脱側へ引くと係合爪が弾性変形して係合凹部から外れる。
【００１５】
請求項６の光コネクタは、請求項４の発明において、前記ＬＣ型プラグの１対のレバー部に、２対の第２係合部に係合する２対の係合突起を形成し、第２係合部は係合突起が係合する係合段部であってＬＣ型プラグの上壁部に形成された係合段部からなることを特徴とするものである。ＬＣ型プラグをプラグ装着穴に装着する際には、レバー部の弾性変形を介して係合突起が係合段部に係合する。また、ＬＣ型プラグをプラグ装着穴から離脱させる際には、レバー部を操作することで係合突起を係合段部から外し、ＬＣ型プラグを外すことができる。
【００１６】
【発明の実施の形態】以下、本発明の実施の形態について図面を参照しながら説明する。本実施形態は、アダプタ型の光コネクタに本発明を適用した場合の一例である。尚、図１の上方と前方を上方と前方として説明する。図１〜図４に示すように、この光コネクタ１は、２本の光ファイバの端部を保持する２芯型プラグを装着するためのアダプタ型のコネクタ本体２を備えたものである。光コネクタ１のコネクタ本体２は、プラグ装着穴５を夫々形成した合成樹脂製の１対の対称な本体分割体３，４を結合した構造のものである。
【００１７】
これら本体分割体３，４が前後に背中合わせ状に結合されてコネクタ本体２となり、１対のプラグ装着穴５が前後に直列状に対称に位置し、各プラグ装着穴５は、同種の光ファイバに適用される相互に型式の異なる２芯型のＭＵ型プラグ２０と２芯型のＬＣ型プラグ４０の両方を択一的に装着可能な特定プラグ装着穴（以下、単に「プラグ装着穴」という）に構成されている。尚、ＭＵ型プラグ２０が第１プラグに相当し、ＬＣ型プラグ４０が第２プラグに相当する。
【００１８】
コネクタ本体２と本体分割体３，４について詳細に説明する。尚、本体分割体４は、本体分割体３と同じ構造であるので同一符号を付して説明を省略する。図１〜図４に示すように、本体分割体３には、プラグ装着穴５と、プラグ装着穴５に装着されたＭＵ型プラグ２０のフェルール２１又はＬＣ型プラグ４０のフェルール４１の先端部を相手側のプラグ装着穴５の方へ導く共通の１対のフェルール挿入部６と、プラグ装着穴５に装着されたＭＵ型プラグ２０の左右両側部の１対の係合凹部２２に係合する１対の第１係合部８と、プラグ装着穴５に装着されたＬＣ型プラグ４０の上面側のレバー部４２の２対の係合突起４４に係合する２対の第２係合部１０（図１２参照）等が形成されている。
【００１９】
プラグ装着穴５は、２芯型のＭＵ型プラグ２０と２芯型のＬＣ型プラグ４０の両方に共通に兼用されるプラグ装着穴であり、底壁１２と左右の側壁１３と上壁１４等で形成されている。プラグ装着穴５の後端側（相手側の本体分割体４側）に仕切壁１５が形成され、この仕切壁１５に、１対のプラグ挿入部６を形成する１対の筒部６ａが前方へ突出するように形成されている。本体分割体３，４から１対の筒部６ａが前後に同心状に突出するため、前後からファイバ挿入部６に挿入された１対のフェルール２１，４１の先端面同士が当接して、２本の光ファイバが先端面同士が光学的に接続されることになる。尚、１対の筒部６ａの軸心間距離が、ＬＣ型プラグ４０の光ファイバ間ピッチ（６．２５ｍｍ）と等しく設定されている。
【００２０】
本体分割体３，４の仕切壁１５同士が面接触状に溶着又は接着され、この状態で本体分割体３，４の１対のフェルール挿入部６，６は連続し同心状になっている（図３、図１０参照）。尚、本体分割体３，４の仕切壁１５同士は複数の凸部を複数の穴に嵌合する構造を併用して固着してもよい。本体分割体３，４には、仕切り壁１５の結合の為とコネクタ本体２を外部の装着のコネクタ取り付け用パネル等に位置決めして固定する為のフランジ１６が形成されている。
【００２１】
次に、ＭＵ型プラグ２０とＬＣ型プラグ４０について説明する。
図５〜図６、図１０に示すように、ＭＵ型プラグ２０は、２本の角筒ケース部２４を並べて連結した構造のケース部材２３と、ケース部材２３に内嵌された２つの保持部材２５と、２つの保持部材２５に夫々収容保持された２つのフェルール２１と、これらフェルール２１を弾性付勢するコイルスプリング（図示略）等を有する。ケース部材２３の左右両側壁に開口部が夫々形成され、これら開口部から外部へ露出する保持部材２５の部分に係合凹部２２が夫々形成されている。
また、ＭＵ型プラグ２０の左右両側部には、そのプラグ２０をコネクタ本体２に装着した状態で、本体分割体３の前端に当接する当接部２４ａが形成されている（図１０参照）。
【００２２】
２本の光ファイバケーブル２６がブーツ２７を介して１対の角筒ケース部２４内へ夫々導入され、光ファイバの先端部の被覆を除去した状態の光ファイバがフェルール２１内へ導入されて光ファイバの先端部がフェルール２１の先端部の孔に挿入して保持され、フェルール２１の先端に光ファイバの先端が露出し、フェルール２１の先端面と光ファイバの先端面とが同一面となっている。ＭＵ型プラグ２０のフェルール２１の軸芯間ピッチ、つまり、１対の光ファイバの光ファイバ間ピッチが、ＬＣ型プラグ４０の光ファイバ間ピッチ（６．２５ｍｍ）と等しく設定されている。これを達成するために、従来品のように各角筒ケース部２４の左右両側部に係合凹部２２を形成する代わりに、１対の角筒ケース部２４の相対向する側部（ＭＵ型プラグ２０の左右幅方向中央部の側部）の係合凹部２２を省略して、１対の角筒ケース部２４の間の間隔を従来品よりも小さくし、光ファイバ間ピッチが６．２５ｍｍに設定されている。
【００２３】
図７〜図９、図１１、図１２に示すように、ＬＣ型プラグ４０は、１対の角筒ケース部４６を並べて連結した構造のケース部材４５と、２つの角筒ケース部４６に夫々収容保持された１対のフェルール４１と、これらフェルール４１を夫々弾性付勢するコイルスプリング（図示略）等を有する。各角筒ケース部４６の上面側には、その先端部から基端側へ斜め上側へ延びるレバー部４２と、角筒ケース部４６の基端部から先端側へ斜め上側へ延びる操作レバー部４３とが形成され、２つの操作レバー部４３は左右方向に連続させて一体に形成されている。レバー部４２と操作レバー部４３は上下方向に弾性を有し、レバー部４２には左右両側へ突出する１対の係合突起４４が形成されている。
【００２４】
ＭＵ型プラグ２０の場合と同様に、このＬＣ型プラグ４０においても、２本の光ファイバケーブル４７がブーツ４８を介して１対の角筒ケース部４６内へ夫々導入され、光ファイバの先端部の被覆を除去した状態の光ファイバがフェルール４１内へ導入されて光ファイバの先端部がフェルール４１の先端部の孔に挿入して保持され、フェルール４１の先端に光ファイバの先端が露出し、フェルール４１の先端面と光ファイバの先端面とが同一面となっている。このＬＣ型プラグ４０における光ファイバ間ピッチは、従来品と同様に６．２５ｍｍに設定されている。
【００２５】
図３、図１０に示すように、本体分割体３の左右の側壁部１３には、プラグ装着穴５に装着されるＭＵ型プラグ２０に係合する１対の第１係合部８が形成されている。この１対の第１係合部８は、本体分割体３のプラグ装着穴５に装着されたＭＵ型プラグ２０の左右１対の係合凹部２２に左右両側から係合解除可能に係合する左右１対の係合爪８ａからなる。
この係合爪８ａは、側壁１３に沿って設けられた前後方向向きの弾性片９の後端部に形成され、弾性片９の前端部が側壁１３に一体形成されている。プラグ装着穴５にプラグ２０，４０が装着されていない状態で、各係合爪８ａは弾性片９よりも軸心側へ突出している。
【００２６】
プラグ装着穴５にＭＵ型プラグ２０を着脱する際、ＭＵ型プラグ２０の側面部に係合爪８ａが当接し、その側面部によって係合爪８ａが弾性片９の弾性変形を介して軸心側と反対側へ押動される。プラグ装着穴５にＭＵ型プラグ２０が完全に装着されると、ＭＵ型プラグ２０の１対のフェルール２１の先端部が１対のフェルール挿入部６に挿入されて相手側のプラグ挿入部６にやや突出状に臨み、相手側の１対のフェルール２１又は４１の先端に当接可能となり、１対の係合爪８ａがＭＵ型プラグ２０の１対の係合凹部２２に係合してＭＵ型プラグ２０が保持される。
【００２７】
図１、図１２に示すように、コネクタ本体２の本体分割体３の上壁部には、プラグ装着穴５に装着されたＬＣ型プラグ４０に係合する２対（４つ）の第２係合部１０が、４つの矩形穴１１を介して形成されている。
この２対の第２係合部１０は、プラグ装着穴５に装着されるＬＣ型プラグ４０のレバー部４２の２対の係合突起４４に係合解除可能に係合する２対の係合段部１０ａからなる。プラグ装着穴５の上部には、ＬＣ型プラグ４０の１対のレバー部４２を導入するための左右１対のレバー導入溝１７と、２対の係合突起４４を導入可能な２対のスライダー溝部１７ａが形成され、各スライダー溝１７ａの後端部に１対の係合段部１０ａが形成されている。
【００２８】
プラグ装着穴５にＬＣ型プラグ４０を挿入していくと、１対のレバー部４２が下方へ弾性変形しつつ１対のレバー導入溝１７に導入され、２対の係合突起４４が２対のスライダー溝１７ａに導入され、ＬＣ型プラグ４０がプラグ装着穴５に完全に装着されると、ＬＣ型プラグ４０の１対のフェルール４１の先端部が１対のフェルール挿入部６を挿通して相手側のプラグ挿入部６にやや突出し、この状態で、レバー部４２が復帰して４つの係合突起４４が４つの係合段部１０ａに係合してＬＣ型プラグ４０の装着状態が保持される。
【００２９】
プラグ装着穴５にＬＣ型プラグ４０が装着された状態で、操作レバー部４３を下方へ押動操作すると、１対のレバー部４２が下方へ押動されて、４つの係合突起４４と４つの係合段部１０ａとの係合が解除され、ＬＣ型プラグ４０を引き抜くことができる。尚、プラグ装着穴５にＬＣ型プラグ４０が装着された状態では、１対の係合爪８ａはＬＣ型プラグ４０の左右の側面部に当接して、弾性片９が弾性変形状態を維持する。
【００３０】
１対のプラグ装着穴５の一方にだけ、ＭＵ型プラグ２０又はＬＣ型プラグ４０が装着された状態では、フェルール２１又は４１の先端は、フェルール挿入部６から相手側のプラグ挿入部６へやや突出した状態になる。各プラグ２０，４０において、フェルール２１，４１はコネクタ本体２に対して軸心方向へ小ストロークだけ移動自在で、コイルスプリングにより先端側へ付勢されている。それ故、１対のプラグ装着穴５の両方にプラグ２０，４０が装着されると、片側の１対のフェルール２１又は４１と相手側の１対のフェルール２１又は４１の先端面同士が当接して２本の光ファイバが光学的に接続される。このように、１対の光ファイバを接続可能であるので、この光コネクタ１は、双方向通信用の光ファイバの接続に好適なものである。
【００３１】
上記光コネクタ１の作用・効果について説明する。
この光コネクタ１によれば、１対のプラグ装着穴５が直列状に設けられ、これら両方のプラグ装着穴５が、同種の光ファイバに適用される相互に型式の異なる２芯型のＭＵ型プラグ２０と２芯型のＬＣ型プラグ４０の両方を択一的に装着可能な特定プラグ装着穴に構成されている。
【００３２】
コネクタ本体２のプラグ装着穴５にＭＵ型プラグ２０を装着すると、このＭＵ型プラグ２０の１対の係合凹部２２に１対の第１係合部８が係合して、ＭＵ型プラグ２０が保持される。光コネクタ２のプラグ装着穴５にＬＣ型プラグ４０を装着すると、このＬＣ型プラグ４０の４つの係合突起４４に４つの第２係合部１０が係合して、ＬＣ型プラグ４０が固定される。
【００３３】
この光コネクタ１では、コネクタ本体２に形成された２つのプラグ装着穴５は、共にＭＵ型プラグ２０とＬＣ型プラグ４０に共通のプラグ装着穴であり、各プラグ装着穴５に設けた１対のフェルール挿入部６も、ＭＵ型プラグ２０の１対のフェルール２１の先端部を導入可能であると共に、ＬＣ型プラグ４０の１対のフェルール４１の先端部を導入可能になっている。
【００３４】
そのため、この光コネクタ１により、ＭＵ型プラグ２０−ＭＵ型プラグ４０、ＬＣ型プラグ４０−ＬＣ型プラグ４０、ＭＵ型プラグ２０−ＬＣ型プラグ４０、の３通りの接続が可能になり、接続の方向性も考慮すると、ＬＣ型プラグ４０−ＭＵ型プラグ２０を含めた４通りの接続が可能になり、汎用性に優れる。特に、ＭＵ型プラグ２０とＬＣ型プラグ４０を接続するような場合に、ジャンパーや余分の光コネクタを用いることなく、この光コネクタ１により簡単に接続可能であるので、光ファイバの接続構造を非常に簡単化することでき、設備経済的に有利であり、光学的な接続個所が少なくなるため光学的な接続損失も少なくなる。
【００３５】
１対の第１係合部８は、プラグ装着穴５に装着されるＭＵ型プラグ２０に左右両側から係合解除可能に係合する１対の係合爪８ａからなるので、これら係合爪８ａをＭＵ型プラグ２０に両側から確実に係合させて、ＭＵ型プラグ２０を確実に固定することができる。４つの第２係合部１０は、プラグ装着穴５に装着されるＬＣ型プラグ４０の２つのレバー部４２の４つの係合突起４４に係合解除可能に係合する４つの係合段部１０ａからなるので、これら係合段部１０ａをＬＣ型プラグ４０の係合突起４４に確実に係合させて、ＬＣ型プラグ４０を確実に保持することができる。
【００３６】
次に、前記実施形態を部分的に変更する変更形態について説明する。
１］前記の光コネクタ１では、コネクタ本体２に同構造の１対の特定プラグ装着穴５を形成した例について説明したが、一方のプラグ装着穴５が、ＭＵ型プラグ２０とＬＣ型プラグ４０の両方を択一的に装着可能な特定プラグ装着穴に構成され、他方のプラグ装着穴５が、ＭＵ型プラグ２０のみ装着可能な構造に構成してもよい。この場合、ＭＵ型プラグ２０−ＭＵ型プラグ２０、ＭＵ型プラグ２０−ＬＣ型プラグ４０、の２パターンの接続が可能になる。尚、前記他方のプラグ装着穴５を、ＭＵ型プラグ２０の代わりに、ＬＣ型プラグ４０のみを装着可能な構造にしてもよい。
【００３７】
２］前記の光コネクタ１では、第１プラグがＭＵ型プラグ２０であり、第２プラグがＬＣ型プラグ４０である場合を例として説明したが、第１プラグがＬＣ型プラグ４０又はＭＵ型プラグ２０であり、第２プラグがＳＣ型プラグであるような光コネクタとすることも可能である。
【００３８】
３］前記の実施形態は、アダプタ型のコネクタ本体２を備えた光コネクタ１を例にして説明したが、本発明の光コネクタは、レセプタクル型のコネクタ本体を備えた光コネクタにも同様に適用可能である。
例えば、図１３に示す光コネクタ１Ａはレセプタクル型のコネクタ本体２Ａを備えた光コネクタであり、この光コネクタ１Ａのコネクタ本体２Ａは、受光機能や発光機能のある光学デバイスＯＤに付随する状態に設けられている。尚、コネクタ本体２Ａの構造は、前記本体分割体３の構造とほぼ同様であるので説明を省略する。図は、コネクタ本体２Ａの１つのプラグ装着穴にＭＵ型プラグ２０を装着した状態を示しているが、前記光コネクタ１の場合と同様に、コネクタ本体２Ａのプラグ装着穴には、ＭＵ型プラグ２０とＬＣ型プラグ４０の両方を択一的に装着可能である。
【００３９】
４］その他、前記図１〜図１２に示す実施形態は、一例を示すものに過ぎず、本発明の趣旨を逸脱しない範囲において種々の変更を付加して実施可能である。また、図１３の変更実施形態も、一例を示すものに過ぎず、本発明の趣旨を逸脱しない範囲において種々の変更を付加して実施可能である。
【００４０】
【発明の効果】請求項１の光コネクタによれば、アダプタ型又はレセプタクル型のコネクタ本体に、特定プラグ装着穴と、１対のフェルール装着部と、複数の第１係合部と、複数の第２係合部とを設けたので、同種の光ファイバに適用される異なる２芯型の第１，第２プラグをコネクタ本体に択一的に装着することができ、汎用性と経済性に優れる光コネクタが得られる。その結果、異なる型式のプラグを接続する場合に必要な光学部品（光コネクタ、プラグ、ジャンパー等）の数を減らし、接続の労力を軽減し、設備経済性を高め、光学的な接続損失を減らすことができる。
【００４１】
請求項２の光コネクタによれば、コネクタ本体が、特定プラグ装着穴を対向状に１対形成してなるアダプタ型のコネクタ本体であるので、両方の特定プラグ装着穴に、夫々、２芯型の第１プラグと第２プラグを択一的に装着可能である。そのため、第１プラグ同士の接続、第１プラグと第２プラグの接続、第２プラグ同士の接続の３とおりの接続が可能となり、一層汎用性に優れる光コネクタが得られる。
【００４２】
請求項３の光コネクタによれば、前記コネクタ本体が、１つの特定プラグ装着穴を有するレセプタクル型のコネクタ本体であるので、特定プラグ装着穴に第１プラグを装着したり、第２プラグを装着したりすることができる。
請求項４の光コネクタによれば、第１プラグの光ファイバ間ピッチと、第２プラグの光ファイバ間ピッチとが等しく形成されているので、第１，第２プラグの１対のフェルールの先端部が共通の１対のフェルール挿入部に挿入可能である。
【００４３】
請求項５の光コネクタによれば、ＭＵ型プラグの左右の両側部に、１対の第１係合部に係合する１対の係合凹部を形成し、第１係合部は係合凹部に係合解除可能に係合する係合爪からなるので、ＭＵ型プラグの左右幅の中央部に係合凹部を形成する必要がないから、ＭＵ型プラグの左右幅を小さくし、ＭＵ型プラグの光ファイバ間ピッチを、ＬＣ型プラグの光ファイバ間ピッチに一致させることが可能となり、ＭＵ型プラグとＬＣ型プラグを択一的に装着可能な光コネクタとすることができる。
【００４４】
請求項６の光コネクタによれば、ＬＣ型プラグの１対のレバー部に、２対の第２係合部に係合する２対の係合突起を形成し、第２係合部は係合突起が係合する係合段部であってＬＣ型プラグの上壁部に形成された係合段部からなるので、ＬＣ型プラグをコネクタ本体から外す際に、レバー部を操作することで、係合突起を係合段部から外し、ＬＣ型プラグを簡単に外すことができる。
【図面の簡単な説明】
【図１】本発明の実施形態に係る光コネクタのコネクタ本体の斜視図である。
【図２】コネクタ本体の正面図である。
【図３】コネクタ本体の横断平面図である。
【図４】コネクタ本体の縦断面図である。
【図５】ＭＵ型プラグの斜視図である。
【図６】ＭＵ型プラグの正面図である。
【図７】ＬＣ型プラグの斜視図である。
【図８】ＬＣ型プラグの側面図である。
【図９】ＬＣ型プラグの正面図である。
【図１０】光コネクタ（ＭＵ型プラグを装着状態）の横断平面図である。
【図１１】光コネクタ（ＬＣ型プラグ装着状態）の縦断側面図である。
【図１２】光コネクタ（ＬＣ型プラグ装着状態）の縦断側面図である。
【図１３】変更実施形態に係る光コネクタの斜視図である。
【符号の説明】
１，１Ａ        光コネクタ
２，２Ａ        コネクタ本体
３，４          本体分割体
５              プラグ装着穴
６              フェルール挿入部
８              第１係合部
８ａ            係合爪
９              弾性片
１０            係合段部
２０            ＭＵ型プラグ（第１プラグ）
２１            フェルール
２２            係合凹部
４０            ＬＣ型プラグ（第２プラグ）
４１            フェルール
４２            レバー部
４３            操作レバー部
４４            係合突起
【図１】
2004354693.tif 000003
【図２】
2004354693.tif 000004
【図３】
2004354693.tif 000005
【図４】
2004354693.tif 000006
【図５】
2004354693.tif 000007
【図６】
2004354693.tif 000008
【図７】
2004354693.tif 000009
【図８】
2004354693.tif 000010
【図９】
2004354693.tif 000011
【図１０】
2004354693.tif 000012
【図１１】
2004354693.tif 000013
【図１２】
2004354693.tif 000014
【図１３】
2004354693.tif 000015